(57)【要約】【課題】キャビネットの後面及び側面吸入口側に空気を円滑に流入しながらも、送風騷音を減少させて送風能力を向上できる空気調和機の室外機を提供する。【解決手段】後面及び側面にそれぞれ吸入口１７，１８が設けられ、前面に吐出口１９が設けられたキャビネット１０と、前記キャビネット１０内部の前記後面及び側面吸入口１７，１８側に設置された熱交換器２０と、前記吐出口１９に空気を送風するために前記キャビネット１０の内部に設置された送風ファン３１と、送風を案内するために前記吐出口１９に設けられたシュラウド４０と、を含み、前記シュラウド４０の前記側面吸入口１８側の高さが残りの部分よりも低く形成される空気調和機の室外機を構成する。【選択図】図２
2008145093.tif 000002
【特許請求の範囲】
【請求項１】
後面及び側面にそれぞれ吸入口が設けられ、前面に吐出口が設けられたキャビネットと、前記キャビネット内部の前記後面及び側面吸入口側に設置された熱交換器と、前記吐出口に空気を送風するために前記キャビネットの内部に設置された送風ファンと、送風を案内するために前記吐出口に設けられたシュラウドと、を含む空気調和機の室外機において、
前記シュラウドは、前記側面吸入口側の高さが残りの部分よりも低く形成されることを特徴とする空気調和機の室外機。
【請求項２】
前記シュラウドは、前記送風ファンの回転方向を基準にして高さの高い側から低い側への連結部分が徐々に低くなるように傾斜して形成されることを特徴とする請求項１に記載の空気調和機の室外機。
【請求項３】
前記シュラウドは、前記送風ファンの回転方向を基準にして高さの低い側から高い側への連結部分が前記送風ファンの軸方向と平行な直線状をなすことを特徴とする請求項１に記載の空気調和機の室外機。
【請求項４】
前記シュラウドは、前記送風ファンの回転方向を基準にして高さの低い側から高い側への連結部分が前記送風ファンの回転方向に対して逆傾斜をなして形成されることを特徴とする請求項１に記載の空気調和機の室外機。
【請求項５】
前記シュラウドの低い部分は、前記キャビネットの前面部から前記送風ファンの前面周囲までの距離に相当する高さを有し、前記シュラウドの高い部分は、前記キャビネットの前面部から前記送風ファンの後面周囲までの距離に相当する高さを有することを特徴とする請求項１に記載の空気調和機の室外機。
【請求項６】
前記シュラウドの低い部分は、前記キャビネットの前面部から前記側面吸入口側の前記熱交換器の端部までの距離に相当する高さを有することを特徴とする請求項１に記載の空気調和機の室外機。
【発明の詳細な説明】
【技術分野】
【０００１】
本発明は、空気調和機の室外機に関するもので、一層詳しくは、送風能力を向上させるために吐出口のシュラウド形状を改善した空気調和機の室外機に関するものである。
【背景技術】
【０００２】
特許文献１に開示された空気調和機の室外機は、後面及び側面に吸入口が形成され、前面に吐出口が形成されたキャビネットを備えている。
キャビネットの内部には、後面及び側面の吸入口に隣接して略Ｌ字状に屈曲された熱交換器と、空気を送風するための軸流型送風ファンと、が設置されている。また、吐出口には、送風ファン周囲の空気流動を円滑に誘導して送風性能を向上させるためのシュラウドが設けられている。このような室外機は、送風ファンが動作すると、側面及び後面の吸入口に吸入された空気が熱交換器を通過しながら熱交換された後、前面の吐出口に排出される。
【０００３】
吐出口のシュラウドは、キャビネットの前面パネルから送風ファン周囲側に延長されて形成されるが、通常、このような室外機においては、側面吸入口側から流入する空気の流動を円滑にするためにシュラウドの高さを低くしていた。
【特許文献１】大韓民国登録特許公報１０-０３１５７７７号
【発明の開示】
【発明が解決しようとする課題】
【０００４】
しかしながら、上述したように、シュラウドの高さが低くなると送風性能が低くなるため、充分な送風量を確保するために送風ファンの回転速度を速める場合、騷音が発生するという問題点があった。
【０００５】
更に、騷音を減少させて送風性能を高めるためにシュラウドの高さを高くする場合、ほとんどの吸入空気が後面吸入口側に流入するため、熱交換器の熱交換効率が著しく低下するという問題点があった。
【０００６】
本発明は、上記のような問題点を解決するためのもので、その目的は、キャビネットの後面及び側面吸入口側に空気を円滑に流入しながらも、送風騷音を減少させて送風能力を向上できる空気調和機の室外機を提供することにある。
【課題を解決するための手段】
【０００７】
上記のような目的を達成するための本発明に係る空気調和機の室外機は、後面及び側面にそれぞれ吸入口が設けられ、前面に吐出口が設けられたキャビネットと、前記キャビネット内部の前記後面及び側面吸入口側に設置された熱交換器と、前記吐出口に空気を送風するために前記キャビネットの内部に設置された送風ファンと、送風を案内するために前記吐出口に設けられたシュラウドと、を含み、前記シュラウドは、前記側面吸入口側の高さが残りの部分よりも低く形成されることを特徴とする。
【０００８】
また、前記シュラウドは、前記送風ファンの回転方向を基準にして高さの高い側から低い側への連結部分が徐々に低くなるように傾斜して形成されることを特徴とする。
また、前記シュラウドは、前記送風ファンの回転方向を基準にして高さの低い側から高い側への連結部分が前記送風ファンの軸方向と平行な直線状をなすことを特徴とする。
【０００９】
また、前記シュラウドは、前記送風ファンの回転方向を基準にして高さの低い側から高い側への連結部分が前記送風ファンの回転方向に対して逆傾斜をなして形成されることを特徴とする。
【００１０】
また、前記シュラウドの低い部分は、前記キャビネットの前面部から前記送風ファンの前面周囲までの距離に相当する高さを有し、前記シュラウドの高い部分は、前記キャビネットの前面部から前記送風ファンの後面周囲までの距離に相当する高さを有することを特徴とする。
【００１１】
また、前記シュラウドの低い部分は、前記キャビネットの前面部から前記側面吸入口側の前記熱交換器の端部までの距離に相当する高さを有することを特徴とする。
【発明の効果】
【００１２】
本発明に係る空気調和機の室外機は、シュラウドの側面吸入口側の高さが低く形成され、残りの部分が高く形成されることで、後面及び側面吸入口側に空気を円滑に流入しながらも、従来よりも送風騷音を減少させて送風能力を向上できるという効果がある。
【発明を実施するための最良の形態】
【００１３】
以下、本発明の好適な実施形態を、添付の図面に基づいて詳しく説明する。
【００１４】
本発明に係る空気調和機の室外機は、図１及び図２に示すように、前面パネル１１、後面パネル１２、両側面パネル１３，１４、ベース１５及び上部カバー１６を含む箱状のキャビネット１０を備えている。後面パネル１２及び一側の側面パネル１３は一体型で形成される。後面パネル１２及び一側の側面パネル１３には、空気を吸入するための後面吸入口１７及び側面吸入口１８がそれぞれ形成され、前面パネル１１には、空気を吐出するための吐出口１９が形成される。
【００１５】
キャビネット１０の内部には、後面吸入口１７及び側面吸入口１８に隣接して略Ｌ字状に屈曲された熱交換器２０が設置される。このような構成により、後面及び側面吸入口１７，１８を通してキャビネット１０の内部に流入する外部空気が熱交換器２０の後面部２０ａ及び側面部２０ｂを通過しながら熱交換される。
【００１６】
キャビネット１０の内部空間は区画板２１によって区画され、区画板２１によって区画された一側空間内には、外気を強制的に吸入して送風するための送風装置３０が設置され、他側空間内には、冷媒を圧縮するための圧縮機２２が設置される。
【００１７】
送風装置３０は、キャビネット１０の内部空気を吐出口１９側に強制的に送風するための軸流型送風ファン３１と、送風ファン３１を駆動させるためのモーター３２と、を含んでいる。そして、送風装置３０のモーター３２は、キャビネット１０内に設置される支持部材３４によって支持される。
【００１８】
上記のような室外機は、モーター３２の駆動によって送風ファン３１が回転すると、後面及び側面吸入口１７，１８に吸入される空気が熱交換器２０の後面部２０ａ及び側面部２０ｂを通過しながら熱交換された後、吐出口１９に排出される。
【００１９】
前面パネル１１の吐出口１９には、送風ファン３１周囲の空気流動を円滑にするように空気を案内するリング状のシュラウド４０が設けられる。シュラウド４０は、図２に示すように、前面パネル１１から送風ファン３１の周囲側に延長され、高さの低い部分４１及び高い部分４２を備えている。すなわち、シュラウド４０は、側面吸入口１８側の高さが低く形成され、残りの部分が高く形成される。
【００２０】
高さの低い部分４１は、送風ファン３１の周囲を開放するように前面パネル１１から送風ファン３１の前面周囲までの距離に相当する高さｈ１を有し、高さの高い部分４２は、送風ファン３１の周囲を包囲するように前面パネル１１から送風ファン３１の後面周囲までの距離に相当する高さｈ２を有している。このとき、高さの低い部分４１の高さｈ１は、前面パネル１１から熱交換器２０の側面部２０ｂ端部までの距離に相当する高さを有することが好ましい。
【００２１】
上記のような構成により、図２に示すように、側面吸入口１８側から流入する空気は、シュラウド４０の低い部分４１を通して吐出口１９に円滑に流動される。そして、シュラウド４０の残りの高い部分４２を通して後面吸入口１７から流入する空気の流動を案内することで、送風性能の向上及び騷音の減少を達成することができる。すなわち、本発明によると、側面吸入口側の流動を考慮してシュラウドの高さを全体的に低くした従来の場合に比べて、送風性能を高めて騷音を減少させることができる。
【００２２】
また、シュラウド４０は、図３に示すように、送風ファン３１の回転方向（矢印）を基準にして高さの高い部分４２から低い部分４１への連結部分Ａが徐々に低くなるように傾斜して形成される。そして、高さの低い部分４１から高い部分４２への連結部分Ｂが送風ファン３１の軸方向と平行な直線状になることで、階段状の段差が形成される。また、高さの低い部分４１から高い部分４２への連結部分Ｂは、図４に示すように、送風ファン３１の回転方向（矢印）に対して逆傾斜をなして形成されることもある。
【００２３】
上記のような構成により、シュラウド４０の両側が異なる高さを有しながらも、段差部での空気流動及び圧力変動が自然に行われることで、送風が円滑に行われるとともに、送風騷音も減少させることができる。
【図面の簡単な説明】
【００２４】
【図１】本発明に係る空気調和機の室外機を示す分解斜視図である。
【図２】本発明に係る空気調和機の室外機を示す横断面図である。
【図３】本発明に係る空気調和機の室外機におけるシュラウドの第１実施形態を示す斜視図である。
【図４】本発明に係る空気調和機の室外機におけるシュラウドの第２実施形態を示す斜視図である。
【符号の説明】
【００２５】
１０  キャビネット
１７  後面吸入口
１８  側面吸入口
１９  吐出口
２０  熱交換器
３０  送風装置
３１  送風ファン
４０  シュラウド
４１  シュラウドの低い部分
４２  シュラウドの高い部分
【図１】
2008145093.tif 000003
【図２】
2008145093.tif 000004
【図３】
2008145093.tif 000005
【図４】
2008145093.tif 000006